(57)【要約】【課題】従来と比べて利便性を向上させる。【解決手段】情報処理装置は、ユーザがログインしている状態で、ユーザの情報処理端末がログアウト距離まで離れたことを検出すると、ユーザが情報処理装置にログインしてからログアウトするまでに情報処理装置に対して行った操作を示す操作情報を、情報処理端末に送信したうえで当該ユーザをログアウトする処理を行い、情報処理端末は、情報処理装置から操作情報を受信すると、当該操作情報を記憶するようにした。【選択図】図１１
2020044828.tif 000002
【特許請求の範囲】
【請求項１】
情報処理端末と情報処理装置とで構成される情報処理システムであり、
前記情報処理端末は、前記情報処理装置と通信する端末側通信部と、端末側記憶部と、端末側制御部とを有し、
前記情報処理装置は、前記情報処理端末と通信する装置側通信部と、前記情報処理端末のユーザが前記情報処理装置にログインしてからログアウトするまでに前記情報処理装置に対して行った操作を示す操作情報を生成する操作情報生成部と、前記情報処理端末との距離を検出する距離検出部と、装置側制御部とを有し、
前記情報処理装置の装置側制御部は、
前記ユーザがログインしている状態で、前記距離検出部により当該ユーザの前記情報処理端末がログアウト距離まで離れたことを検出すると、前記操作情報生成部により生成された前記操作情報を、前記装置側通信部により前記情報処理端末に送信したうえで当該ユーザをログアウトする処理を行い、
前記情報処理端末の端末側制御部は、
前記端末側通信部により前記情報処理装置から前記操作情報を受信すると、当該操作情報を前記端末側記憶部に記憶する
ことを特徴とする情報処理システム。
【請求項２】
前記情報処理装置の装置側制御部は、
前記ユーザがログアウトしている状態で、前記装置側通信部により前記情報処理端末からログイン要求を受信すると当該ユーザをログインする処理を行い、
前記情報処理端末の端末側制御部は、
前記ユーザのログイン時に、前記端末側記憶部に記憶している前記操作情報を、前記端末側通信部により前記情報処理装置に送信して反映させる
ことを特徴とする請求項１に記載の情報処理システム。
【請求項３】
前記情報処理端末の端末側制御部は、
前記ユーザのログイン時に、前記端末側記憶部に記憶している前記操作情報を、前記情報処理装置に反映させるかどうかを前記ユーザに選択させ、反映させると選択された場合にのみ、前記端末側記憶部に記憶している前記操作情報を、前記端末側通信部により前記情報処理装置に送信して反映させる
ことを特徴とする請求項２に記載の情報処理システム。
【請求項４】
前記情報処理端末の端末側制御部は、
前記ユーザのログアウト時に、前記情報処理装置から受信した前記操作情報を前記端末側記憶部に記憶させるかどうかを前記ユーザに選択させ、記憶させると選択された場合にのみ、前記情報処理装置から受信した前記操作情報を前記端末側記憶部に記憶させる
ことを特徴とする請求項２〜３のいずれかに記載の情報処理システム。
【請求項５】
前記情報処理装置は、当該情報処理装置の設定を前記ユーザが変更可能であり
前記操作情報には、
前記ユーザがログアウトする直前に前記情報処理装置の表示部に表示されていた画面を示す画面情報と、前記ユーザが前記情報処理装置からログアウトするまでに変更した前記設定のパラメータを示す変更パラメータ情報とが含まれる
ことを特徴とする請求項２〜４のいずれかに記載の情報処理システム。
【請求項６】
前記情報処理装置の装置側制御部は、
前記ユーザのログイン時に、前記情報処理端末から受信した前記操作情報に含まれる前記画面情報に基づく画面を、前記情報処理装置の表示部に表示させるとともに、当該操作情報に含まれる前記変更パラメータ情報をもとに、前記情報処理装置の設定を変更することにより、当該操作情報を前記情報処理装置に反映する
ことを特徴とする請求項５に記載の情報処理システム。
【請求項７】
前記ユーザが前記情報処理装置からログアウトするまでに前記情報処理装置の設定を変更した場合にのみ、前記操作情報に前記変更パラメータ情報が含まれ、
前記情報処理装置の装置側制御部は、
前記ユーザのログアウト時に、前記操作情報に前記変更パラメータ情報が含まれている場合にのみ、前記操作情報を前記情報処理端末に送信する
ことを特徴とする請求項５又は６に記載の情報処理システム。
【請求項８】
前記変更パラメータ情報は、
前記ユーザによって変更された前記設定のパラメータに加えて、当該パラメータを用いた処理が実行されたかどうかを示す情報であり、
前記情報処理装置の装置側制御部は、
前記ユーザのログアウト時に、前記操作情報に前記パラメータを用いた処理が実行されていないことを示す前記変更パラメータ情報が含まれている場合にのみ、前記操作情報を前記情報処理端末に送信する
ことを特徴とする請求項７に記載の情報処理システム。
【請求項９】
前記情報処理端末の端末側制御部は、
前記情報処理装置から前記操作情報を受信したときに、以前に前記情報処理装置から受信した前記操作情報が既に前記端末側記憶部に記憶されている場合、前記端末側記憶部に記憶されている前記操作情報を、今回受信した前記操作情報により上書きするか、今回受信した前記操作情報は破棄して前記端末側記憶部に記憶されている前記操作情報を残すか、今回受信した前記操作情報と前記端末側記憶部に記憶されている前記操作情報との両方を破棄するかを、前記ユーザに選択させる
ことを特徴とする請求項２〜８のいずれかに記載の情報処理システム。
【請求項１０】
前記情報処理端末の端末側制御部は、
前記情報処理装置から受信した前記操作情報を前記端末側記憶部に蓄積させ、前記ユーザのログイン時に、前記端末側記憶部に蓄積されている１以上の前記操作情報の中から、前記情報処理装置に反映させる前記操作情報を前記ユーザに選択させる
ことを特徴とする請求項２〜９のいずれかに記載の情報処理システム。
【請求項１１】
情報処理装置と通信することによりユーザを前記情報処理装置にログインさせる情報処理端末であり、
前記情報処理装置と通信する端末側通信部と、
端末側記憶部と、
端末側制御部と
を備え、
前記端末側制御部は、
前記ユーザが前記情報処理装置からログアウトするときに、前記情報処理装置から送信されてくる、前記ユーザが前記情報処理装置にログインしてからログアウトするまでに前記情報処理装置に対して行った操作を示す操作情報を、前記端末側通信部により受信して、前記端末側記憶部に記憶する
ことを特徴とする情報処理端末。
【発明の詳細な説明】
【技術分野】
【０００１】
本発明は、情報処理システム及び情報処理端末に関するものであり、例えば、情報処理端末を利用して情報処理装置にログインする情報処理システムに適用して好適なものである。
【背景技術】
【０００２】
従来、情報処理端末を利用して情報処理装置にログインする情報処理システムとして、ユーザが情報処理端末を所持して情報処理装置に近づくと、情報処理装置が情報処理端末と通信してユーザをログインする処理を行い、ユーザが情報処理端末を所持して情報処理装置から離れると、このことを情報処理装置が認識してログアウトする処理を行うようにしたものが提案されている（例えば特許文献１参照）。この情報処理システムでは、ユーザが情報処理端末を所持して情報処理装置に近づくだけで、情報処理装置にログインでき、また、情報処理端末を所持して情報処理装置から離れるだけで、情報処理装置からログアウトできるようになっている。
【先行技術文献】
【特許文献】
【０００３】
【特許文献１】特開２０１８−５５６９４号公報
【発明の概要】
【発明が解決しようとする課題】
【０００４】
しかしながら、従来の情報処理システムでは、ログインしたユーザが情報処理装置に対する操作を行っている途中で情報処理装置から離れてログアウトしなければならなくなった場合、次回のログイン時に、情報処理装置に対する操作を最初からやり直さなければならなかった。換言すれば、ログイン時に、情報処理装置に対する操作を、前回のログイン時の続きから行うことができれば、利便性が向上すると考えられる。
【０００５】
本発明は以上の点を考慮したものであり、従来と比べて利便性を向上させた情報処理システム及び情報処理端末を提案しようとするものである。
【課題を解決するための手段】
【０００６】
本発明の情報処理システムは、情報処理端末と情報処理装置とで構成される情報処理システムであり、前記情報処理端末は、前記情報処理装置と通信する端末側通信部と、端末側記憶部と、端末側制御部とを有し、前記情報処理装置は、前記情報処理端末と通信する装置側通信部と、前記情報処理端末のユーザが前記情報処理装置にログインしてからログアウトするまでに前記情報処理装置に対して行った操作を示す操作情報を生成する操作情報生成部と、前記情報処理端末との距離を検出する距離検出部と、装置側制御部とを有し、前記情報処理装置の装置側制御部は、前記ユーザがログインしている状態で、前記距離検出部により当該ユーザの前記情報処理端末がログアウト距離まで離れたことを検出すると、前記操作情報生成部により生成された操作情報を、前記装置側通信部により前記情報処理端末に送信したうえで当該ユーザをログアウトする処理を行い、前記情報処理端末の端末側制御部は、前記端末側通信部により前記情報処理装置から前記操作情報を受信すると、当該操作情報を前記端末側記憶部に記憶するようにした。
【０００７】
このように、本発明は、ユーザのログアウト時に、ユーザがログアウトするまでに情報処理装置に対して行った操作を示す操作情報を、情報処理端末に送信して情報処理端末に記憶させるようにした。こうすることで、ログイン時に、情報処理端末が記憶している操作情報を利用して、情報処理装置に対する操作を、前回のログイン時の続きから行うことができる。
【発明の効果】
【０００８】
かくして本発明は、従来と比べて利便性を向上させた情報処理システム及び情報処理端末を実現できる。
【図面の簡単な説明】
【０００９】
【図１】第１実施の形態による情報処理システムの構成を示す図である。
【図２】第１の実施の形態による複合機のハードウェア構成を示すブロック図である。
【図３】第１の実施の形態による複合機に設けられた操作パネルの構成を示す図である。
【図４】第１の実施の形態による複合機に設けられた操作パネルに表示される画面の構成を示す図である。
【図５】第１の実施の形態による複合機のソフトウェア構成を示すブロック図である。
【図６】第１の実施の形態による操作情報の構成を示す図である。
【図７】第１の実施の形態による携帯端末のハードウェア構成を示すブロック図である。
【図８】第１の実施の形態による携帯端末のソフトウェア構成を示すブロック図である。
【図９】第１の実施の形態によるログイン時の動作を示すシーケンスチャートである。
【図１０】第１の実施の形態による携帯端末に表示される反映選択画面及び保存選択画面の構成を示す図である。
【図１１】第１の実施の形態によるログアウト時の動作を示すシーケンスチャートである。
【図１２】第２の実施の形態によるログアウト時の動作を示すシーケンスチャートである。
【図１３】第２の実施の形態による携帯端末に表示される消去選択画面の構成を示す図である。
【図１４】他の実施の形態による操作情報の構成を示す図である。
【図１５】他の実施の形態による携帯端末に表示される反映選択画面の構成を示す図である。
【発明を実施するための形態】
【００１０】
以下、発明を実施するための形態（以下、これを実施の形態と呼ぶ）について、図面を用いて詳細に説明する。
【００１１】
［１．第１の実施の形態］
［１−１．情報処理システムの構成］
図１に、第１の実施の形態による情報処理システム１の構成を示す。この情報処理システム１は、複合機２と携帯端末３とで構成され、複合機２と携帯端末３とが無線ネットワークＮｔ１により接続される。無線ネットワークＮｔ１は、例えばＢｌｕｅｔｏｏｔｈ（登録商標）である。また、複合機２と携帯端末３は、ＮＦＣ（Near Field Communication）による近距離無線通信も可能となっている。さらに、複合機２は、社内ＬＡＮなどの有線ネットワークＮｔ２に有線接続され、携帯端末３は、この有線ネットワークＮｔ２にルータを介して無線接続される。尚、この有線ネットワークＮｔ２は、必須の構成ではない。
【００１２】
情報処理システム１の構成は、以上のようになっている。この情報処理システム１では、複合機２に携帯端末３をかざすと（近づけると）、複合機２が携帯端末３とＮＦＣによる近距離無線通信を行って、携帯端末３のユーザをログインする処理を行うようになっている。また複合機２は、ユーザのログイン後、携帯端末３と無線ネットワークＮｔ１を介して無線通信を行うようになっている。尚、無線ネットワークＮｔ１による通信可能範囲（すなわちＢｌｕｅｔｏｏｔｈの通信可能範囲）は、ＮＦＣによる近距離無線通信より広くなっている。また複合機２は、ユーザのログイン後、携帯端末３が所定の距離まで離れると、携帯端末３のユーザをログアウトする処理を行うようになっている。
【００１３】
［１−２．複合機の構成］
次に、複合機２の構成について詳しく説明する。まず、図２を用いて、複合機２のハードウェア構成について説明する。複合機２は、ハードウェア構成として、ＣＰＵ１０と、ＲＯＭ１１と、ＲＡＭ１２と、ストレージ１３と、ＮＩＣ（Network Interface Card）１４と、Ｂｌｕｅｔｏｏｔｈモジュール１５と、ＮＦＣモジュール１６と、操作パネル１７と、スキャナ１８と、印刷装置１９とを有している。
【００１４】
ＣＰＵ１０は、ＲＯＭ１１やストレージ１３に格納された各種プログラムを実行することで複合機２の各部を制御する。ＲＯＭ１１は、複合機２を制御するための各種制御プログラムを格納する。ＲＡＭ１２は、ＣＰＵ１０がプログラムを実行する際のワークエリアとして利用される。またＲＡＭ１２は、スキャナ１８及び印刷装置１９で扱う画像データや、携帯端末３との間で送受信するデータなどを一時的に記憶する一時記憶領域としても利用される。
【００１５】
ストレージ１３は、例えば不揮発性メモリやハードディスクであり、複合機２の各種設定を示す設定情報や、複合機２に登録されているユーザのユーザ情報、スキャナ１８又は印刷装置１９で扱う画像データなどを記憶する。ＮＩＣ１４は、有線ネットワークＮｔ２への有線通信接続を制御する。Ｂｌｕｅｔｏｏｔｈモジュール１５は、無線ネットワークＮｔ１への無線通信接続を制御する。ＮＦＣモジュール１６は、他のＮＦＣモジュール（例えば後述する携帯端末３のＮＦＣモジュール３５（図７））やＮＦＣタグとの無線通信接続を制御する。
【００１６】
操作パネル１７は、図３に示すように、表示及び操作入力が可能なタッチパネルＴｐと、操作入力が可能な各種操作ボタンＢｔとで構成され、タッチパネルＴｐに各種情報を表示するとともに、タッチパネルＴｐ及び各種操作ボタンＢｔへの操作入力を受け付ける。スキャナ１８は、原稿となる媒体をスキャンして画像データに変換し、これをＲＡＭ１２に格納する。印刷装置１９は、ＲＡＭ１２に格納されている画像データをもとに、印刷用紙などの媒体に画像を形成した後、この媒体に画像を定着させたうえで排出する。複合機２のハードウェア構成は、以上のようになっている。尚、複合機２は、スキャナ１８によるスキャナ機能と、印刷装置１９によるプリンタ機能との他に、スキャナ１８と印刷装置１９とを利用するコピー機能も備えている。
【００１７】
次に、図４（Ａ）、（Ｂ）を用いて、タッチパネルＴｐに表示される画面の構成について説明する。ユーザが携帯端末３を利用して複合機２にログインすると、タッチパネルＴｐには、通常、図４（Ａ）に示すメニュー画面Ｍｓが初期画面として表示されるようになっている。このメニュー画面Ｍｓには、複合機２が備える複数の機能のそれぞれに対応する複数のアイコン（これを機能アイコンと呼ぶ）Ｆｉ（Ｆｉ１〜Ｆｉ４）が表示されるようになっている。尚、図４（Ａ）は、メニュー画面Ｍｓに、コピー機能に対応する機能アイコンＦｉ１と、スキャナ機能に対応する機能アイコンＦｉ２と、プリンタ機能に対応する機能アイコンＦｉ３と、ヘルプ機能に対応する機能アイコンＦｉ４とが表示されている例である。
【００１８】
このメニュー画面Ｍｓに表示されている機能アイコンＦｉ（Ｆｉ１〜Ｆｉ４）のうちの１つが例えばタッチ操作により選択されると、図４（Ｂ）に示すように、タッチパネルＴｐには、メニュー画面Ｍｓに代えて、選択された機能アイコンＦｉに対応する機能の設定を行うための機能設定画面Ｆｓが表示されるようになっている。尚、図４（Ｂ）に示す機能設定画面Ｆｓは、コピー機能に対応する機能アイコンＦｉ１がタッチ操作されたときに表示される画面である。
【００１９】
この機能設定画面Ｆｓでは、複数のタブＴｂ（Ｔｂ１〜Ｔｂ４）により、機能設定画面Ｆｓ上に表示される情報を切り替えることができるようになっている。具体的に、この機能設定画面Ｆｓでは、タブＴｂごとに、ユーザが変更可能な設定情報を示す設定アイコンＰｉ（Ｐｉ１〜Ｐｉ６）が複数表示されるようになっている。各設定アイコンＰｉは、設定情報の名称（例えば「両面印刷」）と設定情報のパラメータ（例えば「オフ（両面印刷しない）」）とが表示されていて、タッチ操作により、表示されている設定情報のパラメータを変更できるようになっている。タッチパネルＴｐに表示される画面の構成は、以上のようになっている。
【００２０】
複合機２は、タッチパネルＴｐに、機能設定画面Ｆｓを表示している状態で、ユーザにより図３に示す操作パネル１７のスタートボタンＢｔ１が押下されると、表示している機能設定画面Ｆｓに対応する機能を、この機能設定画面Ｆｓを介して設定されたパラメータを用いて実行するようになっている。
【００２１】
次に、図５を用いて、複合機２のソフトウェア構成について説明する。尚、このソフトウェア構成は、複合機２のＣＰＵ１０がストレージ１３に格納されている各種プログラムを実行することで実現される機能構成である。
【００２２】
図５に示すように、複合機２は、ソフトウェア構成として、ＴＣＰ／ＩＰ制御部２０と、Ｂｌｕｅｔｏｏｔｈ制御部２１と、ＮＦＣ制御部２２と、操作パネル制御部２３と、認証部２４と、スキャナ制御部２５と、印刷制御部２６と、表示制御部２７とを有している。
【００２３】
ＴＣＰ／ＩＰ制御部２０は、有線ネットワークＮｔ２を利用してデータの送受信を行う。Ｂｌｕｅｔｏｏｔｈ制御部２１は、無線ネットワークＮｔ１を利用してデータの送受信を行う。ＮＦＣ制御部２２は、ＮＦＣを利用してデータの送受信を行う。操作パネル制御部２３は、タッチパネルＴｐ及び操作ボタンＢｔに対する操作入力の受け付け、及びタッチパネルＴｐへの各種情報の表示を行う。
【００２４】
認証部２４は、外部（すなわち携帯端末３）から入力されたユーザ情報を、ストレージ１３に記憶されているユーザ情報と照合することによりユーザ認証を行う。スキャナ制御部２５は、スキャナ１８を動作させて媒体のスキャン及び画像データへの変換を行う。印刷制御部２６は、印刷装置１９を動作させて媒体への画像の形成及び定着を行う。表示制御部２７は、操作パネル１７に対する操作入力又は各種プログラムからの要求に応じて、タッチパネルＴｐに表示する内容を操作パネル１７に指示する。また表示制御部２７は、操作パネル１７に対する操作入力を各種プログラムに伝達する。
【００２５】
さらに表示制御部２７は、操作情報生成部２７ｆ、操作情報保存要否判断部２７ｄ、及び操作情報反映部２７ｒとしても機能する。操作情報生成部２７ｆは、操作パネル１７への操作をもとに、ユーザがログインしてから現在までに複合機２に対して行った操作を示す操作情報を生成する。
【００２６】
ここで、操作情報の例を、図６に示す。図６に示すように、操作情報Ｏｄは、機能設定画面Ｆｓを介して変更可能な各種設定情報のうち、ユーザ操作により変更された設定情報のパラメータを示す変更パラメータ情報Ｏｄ１と、タッチパネルＴｐに現在表示されている画面内容を示す画面情報Ｏｄ２とで構成される。
【００２７】
変更パラメータ情報Ｏｄ１は、機能の名称（例えば「コピー」）と、設定情報の名称（例えば「両面印刷」）と、その設定情報の変更前のパラメータ（例えば「オフ」）と、変更後のパラメータ（例えば「オン」）とで構成されている。一方、画面情報Ｏｄ２は、画面ごとに設定されている画面ＩＤと、画面上で選択されているタブを示すタブＮｏとで構成されている。尚、メニュー画面Ｍｓなどのように、タブのない画面の場合、タブＮｏは例えば「０」となる。
【００２８】
変更パラメータ情報Ｏｄ１は、ユーザが現在までに複合機２に対して行った操作のうち、主要な操作であるパラメータ変更操作を示していて、画面情報Ｏｄ２は、タッチパネルＴｐに現在表示されている画面と選択されているタブとを示している。
【００２９】
操作情報Ｏｄは、このような変更パラメータ情報Ｏｄ１と画面情報Ｏｄ２とにより、ユーザが現在までにどのような操作（パラメータ変更操作）を行ってきて、現在タッチパネルＴｐにどの画面（もしくはどの画面のどのタブ）が表示されている状態なのかを示している。よって、例えば、ユーザがログアウトしたときの操作情報Ｏｄには、ユーザがログアウトするまでに行った操作と、ログアウトの直前までタッチパネルＴｐに表示されていた画面とが示されていることになる。尚、ユーザが、パラメータ変更操作を１度も行っていない場合、操作情報Ｏｄは、画面情報Ｏｄ２のみとなる。
【００３０】
操作情報生成部２７ｆは、このような操作情報Ｏｄを、ユーザがログインしたタイミングで生成して、ユーザによるパラメータ変更操作と、タッチパネルＴｐに表示される画面の遷移とに応じて、適宜更新するようになっている。この操作情報Ｏｄは、例えば、ＲＡＭ１２に格納される。
【００３１】
操作情報保存要否判断部２７ｄは、詳しくは後述するが、ユーザがログアウトするときに操作情報Ｏｄを保存するべきかどうかを判断する機能部である。操作情報反映部２７ｒは、詳しくは後述するが、ユーザがログインしたときに操作情報Ｏｄを複合機２に反映する機能部である。複合機２のソフトウェア構成は、以上のようになっている。
【００３２】
［１−３．携帯端末の構成］
次に、携帯端末３の構成について詳しく説明する。まず、図７を用いて、携帯端末３のハードウェア構成について説明する。携帯端末３は、ハードウェア構成として、ＣＰＵ３０と、ＲＡＭ３１と、ストレージ３２と、ＮＩＣ３３と、Ｂｌｕｅｔｏｏｔｈモジュール３４と、ＮＦＣモジュール３５と、タッチパネル３６とを有している。
【００３３】
ＣＰＵ３０は、ストレージ３２に格納された各種プログラムを実行することで携帯端末３の各部を制御する。ＲＡＭ３１は、ＣＰＵ３０が各種プログラムを実行する際のワークエリアとして利用される。またＲＡＭ３１は、複合機２との間で送受信するデータなどを一時的に記憶する一時記憶領域としても利用される。
【００３４】
ストレージ３２は、例えば不揮発性メモリやハードディスクであり、携帯端末３を制御するための各種制御プログラムやＯＳ（Operating System）、ＯＳ上で動作する各種アプリケーションプログラム（以下、アプリと省略する）、携帯端末３のユーザ情報などを記憶する。ＮＩＣ３３は、有線ネットワークＮｔ２への無線通信接続を制御する。Ｂｌｕｅｔｏｏｔｈモジュール３４は、無線ネットワークＮｔ１への無線通信接続を制御する。ＮＦＣモジュール３５は、他のＮＦＣモジュール（例えば複合機２のＮＦＣモジュール１６（図２））やＮＦＣタグとの無線通信接続を制御する。タッチパネル３６は、表示及び操作入力が可能なデバイスであり、各種情報を表示するとともに、操作入力を受け付ける。携帯端末３のハードウェア構成は、以上のようになっている。
【００３５】
次に、図８を用いて、携帯端末３のソフトウェア構成について説明する。尚、このソフトウェア構成は、携帯端末３のＣＰＵ３０がストレージ３２に格納されている各種制御プログラムやＯＳ、アプリを実行することで実現される機能構成である。
【００３６】
図８に示すように、複合機２は、ソフトウェア構成として、ＴＣＰ／ＩＰ制御部４０と、Ｂｌｕｅｔｏｏｔｈ制御部４１と、ＮＦＣ制御部４２と、タッチパネル制御部４３と、専用アプリ４４とを有している。
【００３７】
ＴＣＰ／ＩＰ制御部４０は、有線ネットワークＮｔ２を利用してデータの送受信を行う。Ｂｌｕｅｔｏｏｔｈ制御部４１は、無線ネットワークＮｔ１を利用してデータの送受信を行う。ＮＦＣ制御部４２は、ＮＦＣを利用してデータの送受信を行う。タッチパネル制御部４３は、タッチパネル３６に対する操作入力又は各種プログラムからの要求に応じて、タッチパネル３６に表示する内容をタッチパネル３６に指示する。またタッチパネル制御部４３は、タッチパネル３６に対する操作入力を各種プログラムに伝達する。
【００３８】
専用アプリ４４は、操作情報保存要否選択部４４ｃ、操作情報保存部４４ｓ、操作情報反映要否選択部４４ｒ、及び認証要求部４４ａとして機能する。操作情報保存要否選択部４４ｃは、詳しくは後述するが、ユーザがログアウトするときに操作情報Ｏｄを保存するかどうかをユーザに選択させる機能部である。操作情報保存部４４ｓは、操作情報Ｏｄをストレージ３２に保存する機能部である。操作情報反映要否選択部４４ｒは、詳しくは後述するが、ユーザがログインしたときに操作情報Ｏｄを複合機２に反映するかどうかをユーザに選択させる機能部である。認証要求部４４ａは、ＮＦＣ制御部４２と協働して、ストレージ３２から読み出したユーザ情報を複合機２に送信することにより複合機２に対してユーザの認証を要求する機能部である。携帯端末３のソフトウェア構成は、以上のようになっている。
【００３９】
情報処理システム１では、ユーザがログアウトしたときの操作情報Ｏｄを、複合機２から携帯端末３に送信して携帯端末３に保存できるようになっていて、ユーザが次にログインしたときに、この操作情報Ｏｄを携帯端末３から複合機２に送信して複合機２に反映することにより、ユーザが前回のログイン時に行っていた操作のつづきから操作を再開できるようになっている。以下、このような情報処理システム１の動作について詳しく説明する。
【００４０】
［１−４．ログイン時の動作］
まず、情報処理システム１の動作のうち、ユーザが複合機２にログインするときの動作（すなわちログイン時の動作）について、図９に示すシーケンスチャートを用いて説明する。情報処理システム１では、ユーザが携帯端末３を複合機２にかざすことでログインできるようになっている。すなわち、ユーザが携帯端末３を複合機２にかざすと、ステップＳＰ１において、携帯端末３の認証要求部４４ａは、ストレージ３２から読み出したユーザ情報を、ＮＦＣモジュール３５を介して複合機２に送信することにより複合機２に対してユーザの認証を要求する（つまりユーザのログインを要求する）。
【００４１】
複合機２の認証部２４は、ＮＦＣモジュール１６を介して携帯端末３からユーザ情報を受信すると、ステップＳＰ２において、携帯端末３から受信したユーザ情報を、ストレージ１３に記憶されているユーザ情報と照合する処理（つまりユーザをログインする処理）を実行することによりユーザの認証を行い、その結果（「認証ＯＫ」又は「認証ＮＧ」）を、ＮＦＣモジュール１６を介して携帯端末３に送信する。ここで、認証結果として「認証ＯＫ」が得られた場合に、携帯端末３のユーザが複合機２にログインしたことになる。
【００４２】
携帯端末３の操作情報反映要否選択部４４ｒは、ＮＦＣモジュール３５を介して認証結果（ここでは「認証ＯＫ」）を受信すると、Ｂｌｕｅｔｏｏｔｈモジュール３４を介して、複合機２との間で無線通信接続を開始するとともに、ステップＳＰ３において、ストレージ３２に、操作情報Ｏｄが保存されているかどうかを判断する。ここで、ストレージ３２に操作情報Ｏｄが保存されていない場合、操作情報反映要否選択部４４ｒは、ステップＳＰ３で否定結果を得てログイン時の動作を終了する。
【００４３】
これに対して、ストレージ３２に操作情報Ｏｄが保存されている場合、このことは、ユーザが、前回のログアウト時に操作情報Ｏｄを携帯端末３に保存させていたことを意味する。この場合、携帯端末３の操作情報反映要否選択部４４ｒは、ステップＳＰ４に移る。
【００４４】
ステップＳＰ４において、携帯端末３の操作情報反映要否選択部４４ｒは、ストレージ３２に保存されている操作情報Ｏｄを、複合機２に反映するかどうかをユーザに選択させる。具体的に、操作情報反映要否選択部４４ｒは、図１０（Ａ）に示すように、操作情報Ｏｄを複合機２に反映するかどうかをユーザに選択させるための反映選択画面Ｓｓ１を、タッチパネル３６に表示する。
【００４５】
この反映選択画面Ｓｓ１には、携帯端末３に保存されている操作情報Ｏｄを複合機２に反映するかどうか（つまり前回のログイン時に行っていた操作のつづきから操作を再開するかどうか）をユーザに問い合わせる文章Ｔｘ１と、反映すると選択するための選択ボタンＢｏ１と、反映しないと選択するための選択ボタンＢｏ２とが表示されている。
【００４６】
つづくステップＳＰ５（図９）において、携帯端末３の操作情報反映要否選択部４４ｒは、ユーザが操作情報Ｏｄを複合機２に反映すると選択したかどうかを判断する。ここで、操作情報反映要否選択部４４ｒは、反映選択画面Ｓｓ１上の選択ボタンＢｏ２が押下された場合、ユーザが操作情報Ｏｄの内容を複合機２に反映しないと選択したと判断して、ステップＳＰ５で否定結果を得、携帯端末３側のログイン時の動作を終了する。
【００４７】
これに対して、選択ボタンＢｏ１が押下された場合、携帯端末３の操作情報反映要否選択部４４ｒは、ステップＳＰ５で肯定結果を得て、ステップＳＰ６に移る。ステップＳＰ６において、操作情報反映要否選択部４４ｒは、操作情報保存部４４ｓによりストレージ３２から読み出させた操作情報Ｏｄを、Ｂｌｕｅｔｏｏｔｈモジュール３４を介して複合機２に送信することにより複合機２に対して操作情報Ｏｄの反映を要求し、携帯端末３側のログイン時の動作を終了する。
【００４８】
複合機２の操作情報反映部２７ｒは、ステップＳＰ７において、携帯端末３から操作情報Ｏｄを反映するよう要求されているかどうかを判断する。ここで、例えば、ユーザを認証してから所定時間以内に、Ｂｌｕｅｔｏｏｔｈモジュール１５を介して携帯端末３から操作情報Ｏｄを受信した場合、操作情報反映部２７ｒは、携帯端末３から操作情報Ｏｄを反映するよう要求されていると判断して、ステップＳＰ７で肯定結果を得、ステップＳＰ８に移る。
【００４９】
ステップＳＰ８において、複合機２の操作情報反映部２７ｒは、携帯端末３から受信した操作情報Ｏｄを複合機２に反映するとともに、その旨を、操作情報生成部２７ｆに通知する。具体的に、操作情報反映部２７ｒは、操作情報Ｏｄの変更パラメータ情報Ｏｄ１をもとに、前回のログイン時にユーザによって変更された設定情報を特定して、この設定情報のパラメータを、変更パラメータ情報Ｏｄ１に示されている変更後のパラメータに変更する。さらに、操作情報反映部２７ｒは、操作情報Ｏｄの画面情報Ｏｄ２をもとに、タッチパネルＴｐの画面を、前回、ユーザがログアウトする直前まで表示されていた画面に変更する。
【００５０】
こうすることで、複合機２は、前回、ユーザがログアウトしたときの直前の状態に戻ることができ、ユーザに対して、前回のログイン時に行っていた操作のつづきから操作を再開させることができる。
【００５１】
これに対して、ユーザを認証してから所定時間経過しても、携帯端末３から操作情報Ｏｄを受信しなかった場合、複合機２の操作情報反映部２７ｒは、携帯端末３から操作情報Ｏｄを反映するよう要求されていないと判断して、ステップＳＰ７で否定結果を得、その旨を、操作情報生成部２７ｆに通知する。
【００５２】
操作情報反映部２７ｒから操作情報Ｏｄを反映した旨又は反映していない旨の通知を受けた操作情報生成部２７ｆは、ステップＳＰ９において、新たな操作情報Ｏｄを生成する。具体的に、操作情報生成部２７ｆは、操作情報反映部２７ｒから操作情報Ｏｄを複合機２に反映した旨の通知を受けた場合、この操作情報Ｏｄ（つまり携帯端末３から受信した操作情報Ｏｄ）をそのまま新たな操作情報Ｏｄとする。一方で、操作情報反映部２７ｒから操作情報Ｏｄを反映していない旨の通知を受けた場合、操作情報生成部２７ｆは、現在表示されている画面が初期画面としてのメニュー画面Ｍｓであることのみを示す操作情報Ｏｄを新規で生成する。ログイン時の動作は、以上のようになっている。
【００５３】
［１−５．ログアウト時の動作］
次に、ユーザが複合機２からログアウトするときの動作（すなわちログアウト時の動作）について、図１１に示すシーケンスチャートを用いて説明する。情報処理システム１では、ユーザが携帯端末３を所持したまま複合機２から離れていくと自動的にログアウトするようになっている。すなわち、複合機２のＢｌｕｅｔｏｏｔｈ制御部４１は、Ｂｌｕｅｔｏｏｔｈモジュール１５を介して携帯端末３から受信した信号の強度をもとに、複合機２と携帯端末３との距離を推定するようになっている。そして、Ｂｌｕｅｔｏｏｔｈ制御部４１は、ステップＳＰ２０において、複合機２と携帯端末３との距離がログアウト距離に達するまで待ち受ける。尚、ログアウト距離は、Ｂｌｕｅｔｏｏｔｈ制御部４１に設定されている距離であり、例えばＢｌｕｅｔｏｏｔｈによる通信可能距離の８０％程度に設定されている。
【００５４】
複合機２のＢｌｕｅｔｏｏｔｈ制御部４１は、複合機２と携帯端末３との距離がログアウト距離に達すると、ステップＳＰ２０で肯定結果を得、その旨を、操作情報保存要否判断部２７ｄに通知する。
【００５５】
複合機２のＢｌｕｅｔｏｏｔｈ制御部４１から複合機２と携帯端末３との距離がログアウト距離に達した旨の通知を受けた操作情報保存要否判断部２７ｄは、ステップＳＰ２１において、複合機２のＲＡＭ１２に格納されている現在の操作情報Ｏｄを、携帯端末３に保存する保存対象にするかどうかを判断する。具体的に、操作情報保存要否判断部２７ｄは、現在の操作情報Ｏｄに変更パラメータ情報Ｏｄ１が含まれているかどうかで、現在の操作情報Ｏｄを保存対象とするかどうかを判断する。尚、詳しくは後述するが、操作情報保存要否判断部２７ｄが現在の操作情報Ｏｄを保存対象にしたとしても、最終的に保存するかどうか決めるのはユーザである。
【００５６】
ここで、現在の操作情報Ｏｄに変更パラメータ情報Ｏｄ１が含まれていれば、ユーザが現在までに行った操作にパラメータ変更操作が含まれることから、ユーザが、現在までに行った操作を操作情報Ｏｄとして携帯端末３に保存させる可能性が高い（つまりユーザが現在までに行った操作を次回のログイン時に継続する可能性が高い）。一方で、現在の操作情報Ｏｄに変更パラメータ情報Ｏｄ１が含まれていなければ、ユーザが現在までに行った操作には画面の切り替えやタブの切り替え程度の簡易な操作しか含まれないため、ユーザが、現在までに行った操作を操作情報Ｏｄとして携帯端末３に保存させる可能性は低い（つまりユーザが現在までに行った操作を次回のログイン時に継続する可能性が低い）。
【００５７】
このことから、複合機２の操作情報保存要否判断部２７ｄは、現在の操作情報Ｏｄが、次回のログイン時に継続される可能性が高いパラメータ変更操作を示していれば、現在の操作情報Ｏｄを保存対象にするようになっている。
【００５８】
すなわち、複合機２の操作情報保存要否判断部２７ｄは、現在の操作情報Ｏｄに変更パラメータ情報Ｏｄ１が含まれていれば、現在の操作情報Ｏｄを保存対象にすると判断して、ステップＳＰ２１で肯定結果を得、ステップＳＰ２２に移る。ステップＳＰ２２において、操作情報保存要否判断部２７ｄは、Ｂｌｕｅｔｏｏｔｈモジュール１５を介して、ＲＡＭ１２に格納されている現在の操作情報Ｏｄを、携帯端末３に送信するとともに、ユーザの認証を解除（つまりログアウト）するよう認証部２４に通知する。
【００５９】
これに対して、現在の操作情報Ｏｄに変更パラメータ情報Ｏｄ１が含まれていなければ、複合機２の操作情報保存要否判断部２７ｄは、現在の操作情報Ｏｄを保存対象から外すと判断して、ステップＳＰ２１で否定結果を得、ユーザの認証を解除（つまりログアウト）するよう認証部２４に通知する。
【００６０】
複合機２の認証部２４は、操作情報保存要否判断部２７ｄからユーザの認証を解除するよう通知されると、ステップＳＰ２３において、携帯端末３のユーザ（つまり現在ログイン中のユーザ）の認証を解除する。これにより、携帯端末３のユーザが複合機２からログアウトしたことになる。つづくステップＳＰ２４において、認証部２４は、ＲＡＭ１２に格納されている操作情報Ｏｄを破棄する。またこのとき、認証部２４は、表示制御部２７に対して、タッチパネルＴｐに表示されている画面を初期画面に戻すよう指示するとともに、操作情報反映部２７ｒに対して、ユーザがログアウトするまでに行ったパラメータ変更操作により変更されたパラメータを元に戻すよう指示することにより、複合機２をユーザがログインする前の状態に戻し、複合機２側のログアウト時の動作を終了する。
【００６１】
一方、携帯端末３の操作情報保存要否選択部４４ｃは、Ｂｌｕｅｔｏｏｔｈモジュール３４を介して複合機２から操作情報Ｏｄを受信すると、ステップＳＰ２５において、複合機２から受信した操作情報Ｏｄを、携帯端末３に保存するかどうかをユーザに選択させる。具体的に、操作情報保存要否選択部４４ｃは、図１０（Ｂ）に示すように、操作情報Ｏｄを複合機２に保存するかどうかをユーザに選択させるための保存選択画面Ｓｓ２を、タッチパネル３６に表示する。
【００６２】
この保存選択画面Ｓｓ２には、携帯端末３が複合機２から離れたためにログアウトする旨と、複合機２から受信した操作情報Ｏｄを携帯端末３に保存するかどうか（つまり現在までに行った操作を保存しておくかどうか）をユーザに問い合わせる旨とで構成される文章Ｔｘ２と、保存すると選択するための選択ボタンＢｏ１０と、保存しないと選択するための選択ボタンＢｏ１１とが表示されている。
【００６３】
つづくステップＳＰ２６（図１１）において、携帯端末３の操作情報保存要否選択部４４ｃは、ユーザが操作情報Ｏｄを携帯端末３に保存すると選択したかどうかを判断する。ここで、操作情報保存要否選択部４４ｃは、保存選択画面Ｓｓ２上の選択ボタンＢｏ１０が押下された場合、ユーザが操作情報Ｏｄを携帯端末３に保存すると選択したと判断して、ステップＳＰ２６で肯定結果を得、ステップＳＰ２７に移る。ステップＳＰ２７において、操作情報保存要否選択部４４ｃは、複合機２から受信した操作情報Ｏｄを、操作情報保存部４４ｓによりストレージ３２に保存させ、携帯端末３側のログアウト時の動作を終了する。
【００６４】
これに対して、選択ボタンＢｏ１１が押下された場合、携帯端末３の操作情報保存要否選択部４４ｃは、ステップＳＰ２６で否定結果を得て、ステップＳＰ２８に移る。ステップＳＰ２８において、操作情報保存要否選択部４４ｃは、複合機２から受信した操作情報Ｏｄを破棄し、携帯端末３側のログアウト時の動作を終了する。ログアウト時の動作は、以上のようになっている。
［１−６．まとめと効果］
ここまで説明したように、第１の実施の形態の情報処理システム１では、複合機２とユーザの携帯端末３とがログアウト距離まで離れると、ユーザが現在までに複合機２に対して行った操作を示す操作情報Ｏｄを、複合機２から携帯端末３に送信して携帯端末３に保存させるとともに、ユーザを複合機２からログアウトさせるようにした。さらに情報処理システム１では、複合機２にユーザの携帯端末３がかざされると、ユーザを複合機２にログインさせるとともに、携帯端末３に保存されている操作情報Ｏｄを複合機２に反映するようにした。
【００６５】
このように、情報処理システム１では、ログイン時に、前回ユーザがログインしてからログアウトするまでに複合機２に対して行った操作を示す操作情報Ｏｄを利用して、複合機２に対する操作を、前回のログイン時の続きから行うことができる。かくして、情報処理システム１は、従来と比べて利便性を向上させることができる。
【００６６】
また情報処理システム１では、ユーザが複合機２に対して行った操作を示す操作情報Ｏｄを、複合機２側ではなく、携帯端末３側に保存するようにした。こうすることで、情報処理システム１では、例えば、携帯端末３を、前回ユーザがログインした複合機（これを第１の複合機と呼ぶ）２とは別の複合機（これを第２の複合機と呼ぶ）２にかざすことで、第１の複合機２に対して行っていた操作のつづきを、第２の複合機２で再開するようなこともでき、より一層利便性を向上させることができる。
【００６７】
さらに情報処理システム１では、ログアウト時に、次回のログイン時に継続される可能性が高いパラメータ変更操作が含まれている操作情報Ｏｄを、携帯端末３側に保存する保存対象にする一方で、次回のログイン時に継続される可能性が低い単純な操作のみの操作情報Ｏｄについては、保存対象から外して複合機２側で破棄するようにした。こうすることで、情報処理システム１では、ユーザが複合機２にログインしたときに、意図していない操作のつづきから行うような状況を回避することができ、より一層利便性を向上させることができる。
【００６８】
さらに情報処理システム１では、ログイン時に、携帯端末３に保存している操作情報Ｏｄを複合機２に反映するかどうかをユーザに選択させるようにした。こうすることで、情報処理システム１では、例えば、ユーザが複合機２にログインしたときに、前回の操作のつづきから行うのではなく、前回の操作とは別の操作を最初から行うこともできる。
【００６９】
さらに情報処理システム１では、ログアウト時に、携帯端末３に保存選択画面Ｓｓ２を表示させ、この保存選択画面Ｓｓ２を介して、操作情報Ｏｄを携帯端末３に保存するかどうかをユーザに選択させるようにした。こうすることで、情報処理システム１では、操作情報Ｏｄを携帯端末３に保存するかどうかをユーザに選択させることができるばかりでなく、保存選択画面Ｓｓ２を携帯端末３に表示することによって、ユーザがログアウトする状況にあることをユーザに知らせることができる。
【００７０】
［２．第２の実施の形態］
次に、第２の実施の形態について説明する。この第２の実施の形態は、ログアウト時の動作の一部が、第１の実施の形態とは異なる実施の形態である。ゆえに、ここでは、ログアウト時の動作についてのみ説明する。
【００７１】
［２−１．ログアウト時の動作］
第２の実施の形態によるログアウト時の動作について、図１２に示すシーケンスチャートを用いて説明する。尚、図１２に示すシーケンスチャートは、第１の実施の形態で用いた図１１に示すシーケンスチャートのステップＳＰ２６とステップＳＰ２８との間に、ステップＳＰ１００〜ステップＳＰ１０３を追加したものである。ゆえに、ここでは、主にステップＳＰ１００〜ステップＳＰ１０３の動作について説明する。
【００７２】
携帯端末３の操作情報保存要否選択部４４ｃは、複合機２から操作情報Ｏｄを受信すると、ステップＳＰ２５において、複合機２から受信した操作情報Ｏｄを携帯端末３に保存するかどうかをユーザに選択させ、ユーザが保存すると選択した場合には、ステップＳＰ２６で肯定結果を得てステップＳＰ２７に移り、複合機２から受信した操作情報Ｏｄを操作情報保存部４４ｓによりストレージ３２に保存させる。このとき、操作情報保存部４４ｓは、ストレージ３２に、既に保存されている操作情報Ｏｄ（つまり以前に複合機２から受信した操作情報Ｏｄ）が有る場合、既に保存されている操作情報Ｏｄを、今回複合機２から受信した操作情報Ｏｄにより上書きする。
【００７３】
これに対して、ユーザが複合機２から受信した操作情報Ｏｄを携帯端末３に保存しないと選択した場合、携帯端末３の操作情報保存要否選択部４４ｃは、ステップＳＰ２６で否定結果を得て、ステップＳＰ１００に移る。ステップＳＰ１００において、操作情報保存要否選択部４４ｃは、操作情報保存部４４ｓを介して、ストレージ３２に既に保存されている操作情報Ｏｄが有るかどうかを判断する。
【００７４】
ここで、ストレージ３２に既に保存されている操作情報Ｏｄが無い場合、携帯端末３の操作情報保存要否選択部４４ｃは、ステップＳＰ１００で否定結果を得て、ステップＳＰ２８に移り、複合機２から受信した操作情報Ｏｄを破棄する。
【００７５】
これに対して、ストレージ３２に既に保存されている操作情報Ｏｄが有る場合、携帯端末３の操作情報保存要否選択部４４ｃは、ステップＳＰ１００で肯定結果を得て、ステップＳＰ１０１に移る。ステップＳＰ１０１において、操作情報保存要否選択部４４ｃは、携帯端末３に既に保存されている操作情報Ｏｄを携帯端末３から消去するかどうかをユーザに選択させる。具体的に、操作情報保存要否選択部４４ｃは、図１３に示すように、携帯端末３に既に保存されている操作情報Ｏｄを携帯端末３から消去するかどうかをユーザに選択させるための消去選択画面Ｓｓ３を、タッチパネル３６に表示する。
【００７６】
この消去選択画面Ｓｓ３には、携帯端末３に既に保存されている操作情報Ｏｄを携帯端末３から消去するかどうかをユーザに問い合わせる文章Ｔｘ３と、消去すると選択するための選択ボタンＢｏ２０と、消去しない（つまり引き続き保存する）と選択するための選択ボタンＢｏ２１とが表示されている。
【００７７】
つづくステップＳＰ１０２（図１２）において、携帯端末３の操作情報保存要否選択部４４ｃは、ユーザが操作情報Ｏｄを携帯端末３から消去すると選択したかどうかを判断する。ここで、操作情報保存要否選択部４４ｃは、消去選択画面Ｓｓ３上の選択ボタンＢｏ２０が押下された場合、ユーザが操作情報Ｏｄを携帯端末３から消去すると選択したと判断して、ステップＳＰ１０２で肯定結果を得、ステップＳＰ１０３に移る。ステップＳＰ１０３において、操作情報保存要否選択部４４ｃは、携帯端末３のストレージ３２に既に保存されている操作情報Ｏｄを、操作情報保存部４４ｓによりストレージ３２から消去させ、ステップＳＰ２８に移る。
【００７８】
これに対して、選択ボタンＢｏ２１が押下された場合、携帯端末３の操作情報保存要否選択部４４ｃは、ステップＳＰ１０２で否定結果を得て、携帯端末３に保存されている操作情報Ｏｄを消去することなく、ステップＳＰ２８に移る。ステップＳＰ２８において、操作情報保存要否選択部４４ｃは、複合機２から受信した操作情報Ｏｄを破棄する。ログアウト時の動作のうち、ステップＳＰ１００〜ステップＳＰ１０３の動作は、以上のようになっている。
【００７９】
［２−２．まとめと効果］
ここまで説明したように、第２の実施の形態の情報処理システム１では、ログアウト時に、携帯端末３に既に保存されている操作情報Ｏｄが有る場合、携帯端末３に既に保存されているこの操作情報Ｏｄを、今回複合機２から受信した操作情報Ｏｄで上書きするか、今回複合機２から受信した操作情報Ｏｄは破棄して携帯端末３に既に保存されている操作情報Ｏｄをそのまま残すか、今回複合機２から受信した操作情報Ｏｄと携帯端末３に既に保存されている操作情報Ｏｄとの両方を破棄するかを、ユーザが選択できるようにした。
【００８０】
ここで、例えば、今回複合機２から受信した操作情報Ｏｄは破棄して携帯端末３に既に保存されている操作情報Ｏｄをそのまま残すようにすれば、ユーザは、例えば、複合機２にログインする度に、毎回特定の操作のつづきから行うことができる。すなわち、例えば、ユーザが複合機２に対して所望の設定となるように設定情報のパラメータを変更する操作を行えば、以降、常に所望の設定で複合機２を利用することができるようになる。また、例えば、今回複合機２から受信した操作情報Ｏｄと携帯端末３に既に保存されている操作情報Ｏｄとの両方を破棄すれば、携帯端末３に保存される操作情報Ｏｄをリセットすることができるので、次回のログイン時に、複合機２の操作を最初から行うこともできる。かくして、第２の実施の形態の情報処理システム１では、第１の実施の形態の情報処理システム１と比べてより一層利便性を向上させることができる。
【００８１】
［３．他の実施の形態］
［３−１．他の実施の形態１］
尚、上述した第１の実施の形態では、ログアウト時に、次回のログイン時に継続される可能性が高いパラメータ変更操作が含まれている操作情報Ｏｄを、携帯端末３側に保存する保存対象にする一方で、次回のログイン時に継続される可能性が低い単純な操作のみの操作情報Ｏｄについては、保存対象から外すようにした。これに限らず、ログアウト時にまだ終了していない操作が含まれている操作情報Ｏｄを保存対象にする一方で、ログアウト時に既に終了している操作のみの操作情報Ｏｄについては保存対象から外すようにしてもよい。
【００８２】
ここで、ログアウト時にまだ終了していない操作とは、例えば、パラメータ変更操作のうち、変更後のパラメータを用いた処理（コピー、スキャナ、印刷）がまだ実行されていない操作のことである。一方で、ログアウト時に既に終了している操作とは、例えば、パラメータ変更操作のうち、変更後のパラメータを用いた処理が既に実行されている操作のことである。
【００８３】
例えば、印刷機能の設定情報である「両面印刷」のパラメータを「オフ」から「オン」に変更したパラメータ変更操作があったとすると、両面印刷をオンにした設定で印刷が既に実行されていれば、このパラメータ変更操作は、既に終了した操作となり、まだ両面印刷をオンにした設定で印刷が実行されていなければ、このパラメータ変更操作は、まだ終了していない操作となる。
【００８４】
この場合、図１４に示すように、操作情報Ｏｄの変更パラメータ情報Ｏｄ１に、パラメータ変更操作が実行済みであるかどうかを示す（つまりパラメータ変更操作の実行有無を示す）実行済フラグを追加する。この実行済フラグは、パラメータ変更操作が実行済みであれば「１」、未実行であれば「０」となる。
【００８５】
複合機２の操作情報生成部２７ｆ（図５）は、図１４に示す操作情報Ｏｄを、ユーザによるパラメータ変更操作と、スタートボタンＢｔ１（図３）の操作と、タッチパネルＴｐに表示される画面の遷移とに応じて、適宜更新するようになっている。
【００８６】
そして、複合機２の操作情報保存要否判断部２７ｄは、ログアウト時、操作情報Ｏｄに、実行済フラグが「０」の変更パラメータ情報Ｏｄ１が含まれていれば、ユーザが現在までに行った操作がまだ終了していないことから、このときの操作情報Ｏｄを保存対象とする。一方で、操作情報保存要否判断部２７ｄは、ログアウト時、操作情報Ｏｄに、実行済フラグが「０」の変更パラメータ情報Ｏｄ１が含まれていなければ、ユーザが現在までに行った操作は既に終了していることから、このときの操作情報Ｏｄを保存対象から外す。こうすることで、情報処理システム１では、ログアウト時に終了していない操作についてのみ、次回のログイン時につづきから行うことができるので、より一層利便性を向上させることができる。第２の実施の形態についても同様に、ログアウト時にまだ終了していない操作が含まれている操作情報Ｏｄを、保存対象にする一方で、ログアウト時に既に終了している操作のみの操作情報Ｏｄについては、保存対象から外すようにしてもよい。
【００８７】
［３−２．他の実施の形態２］
また、上述した第１の実施の形態では、ログイン時に、携帯端末３に保存されている操作情報Ｏｄを複合機２に反映させるかどうかをユーザに選択させるための反映選択画面Ｓｓ１を、タッチパネル３６に表示するようにした。ここで、この反映選択画面Ｓｓ１に、操作情報Ｏｄの内容を表示するようにしてもよい。例えば、操作情報Ｏｄの変更パラメータ情報Ｏｄ１を、反映選択画面Ｓｓ１に表示するようにしてもよい。また、操作情報Ｏｄの画面情報Ｏｄ２に、画面ＩＤとタブＮｏにくわえて、タッチパネルＴｐに表示されている画面をキャプチャした画面データを追加するようにして、反映選択画面Ｓｓ１に、この画面情報Ｏｄ２に含まれる画面データを表示するようにしてもよい。
【００８８】
このようにすれば、携帯端末３に保存されている操作情報Ｏｄ、すなわち複合機２に反映させようとしている操作情報Ｏｄの内容を、より具体的にユーザに確認させることができる。尚、画面情報Ｏｄ２に含まれる画面データについては、複合機２の操作情報生成部２７ｆがタッチパネルＴｐに表示されている画面をキャプチャして生成するようにすればよい。また同様にして、ログアウト時に、操作情報Ｏｄの内容を、保存選択画面Ｓｓ２に表示するようにしてもよい。第２の実施の形態についても同様に、反映選択画面Ｓｓ１や保存選択画面Ｓｓ２に、操作情報Ｏｄの内容を表示するようにしてもよい。
【００８９】
［３−３．他の実施の形態３］
さらに、上述した第２の実施の形態では、携帯端末３が、既に保存されている操作情報Ｏｄを、複合機２から受信した新たな操作情報Ｏｄにより上書きするようにした。これに限らず、携帯端末３が、既に保存されている操作情報Ｏｄを上書きせずに、複合機２から受信した新たな操作情報Ｏｄを別途保存するようにしてもよい。つまり、携帯端末３が、複合機２から受信した操作情報Ｏｄをストレージ３２に蓄積するようにしてもよい。
【００９０】
この場合、携帯端末３の操作情報保存部４４ｓは、複合機２が受信した操作情報Ｏｄのうち、ユーザにより保存すると選択された操作情報Ｏｄを、ログアウト日時（例えば携帯端末３がこの操作情報Ｏｄを受信した日時）と紐付けた状態で、ストレージ３２に保存する。
【００９１】
そして、携帯端末３の操作情報反映要否選択部４４ｒは、ログイン時、ストレージ３２に蓄積されている操作情報Ｏｄのうち、どの操作情報Ｏｄを複合機２に反映するのかをユーザに選択させる。具体的に、操作情報反映要否選択部４４ｒは、ログイン時、図１０（Ａ）に示す反映選択画面Ｓｓ１の代わりに、図１５に示す反映選択画面Ｓｓ４を、タッチパネル３６に表示する。
【００９２】
この反映選択画面Ｓｓ４には、携帯端末３に蓄積されている操作情報Ｏｄの中から複合機２に反映する操作情報Ｏｄを選択するようユーザに促す文章Ｔｘ４と、携帯端末３に蓄積されている操作情報Ｏｄの１つを指定可能なリストＬｓ１と、リストＬｓ１上で指定された操作情報Ｏｄを複合機２に反映すると選択するための選択ボタンＢｏ３０と、リストＬｓ１に表示されている操作情報Ｏｄのいずれも複合機２に反映しないと選択するための選択ボタンＢｏ３１とが表示されている。
【００９３】
携帯端末３の操作情報反映要否選択部４４ｒは、反映選択画面Ｓｓ４上の選択ボタンＢｏ３０が押下された場合、リストＬｓ１上で指定されている操作情報Ｏｄを、複合機２に送信することで、複合機２に反映させる。一方で、反映選択画面Ｓｓ４上の選択ボタンＢｏ３１が押下された場合、操作情報反映要否選択部４４ｒは、操作情報Ｏｄの反映を中止する。
【００９４】
このようにすれば、携帯端末３に蓄積されている操作情報Ｏｄの中から、ユーザが所望の操作情報Ｏｄを選択して、複合機２に反映させることができる。尚、反映選択画面Ｓｓ４上のリストＬｓ１上で操作情報Ｏｄが指定されると、この操作情報Ｏｄの内容（例えば、変更パラメータ情報Ｏｄ１や画面情報Ｏｄ２に含まれる画面データ）を、リストＬｓ１上にポップアップ表示するなどしてもよい。第１の実施の形態についても同様に、携帯端末３が、複合機２から受信した操作情報Ｏｄをストレージ３２に蓄積するようにしてもよい。
【００９５】
［３−４．他の実施の形態４］
さらに、上述した第１の実施の形態では、ログイン時に、ユーザが操作情報Ｏｄを複合機２に反映すると選択すると、携帯端末３が複合機２に操作情報Ｏｄを送信して、複合機２にその操作情報Ｏｄを反映させるようにしたが、このようにして携帯端末３が複合機２に操作情報Ｏｄを送信した後、この操作情報（すなわち複合機２に反映させた操作情報）Ｏｄを、携帯端末３がストレージ３２から消去するようにしてもよい。第２の実施の形態についても同様に、携帯端末３が複合機２に操作情報Ｏｄを送信した後、この操作情報Ｏｄを、携帯端末３がストレージ３２から消去するようにしてもよい。
【００９６】
［３−５．他の実施の形態５］
さらに、上述した第１の実施の形態では、複合機２及び携帯端末３に、ＮＦＣモジュール１６及びＮＦＣモジュール３５を設け、携帯端末３を複合機２でかざすと、携帯端末３と複合機２とがＮＦＣによる無線通信を行うことで、携帯端末３のユーザが複合機２にログインするようにした。これに限らず、例えば、複合機２及び携帯端末３に、ＮＦＣモジュール１６及びＮＦＣモジュール３５を設けず、携帯端末３と複合機２との距離がＢｌｕｅｔｏｏｔｈで通信可能なログイン距離となるまで、携帯端末３を複合機２に近づけると、携帯端末３と複合機２とがＢｌｕｅｔｏｏｔｈによる無線通信を行うことで、携帯端末３のユーザが複合機２にログインするようにしてもよい。またこれに限らず、ＮＦＣやＢｌｕｅｔｏｏｔｈ以外の無線通信方式（例えば無線ＬＡＮ）を利用して、携帯端末３のユーザが複合機２にログインするようにしてもよい。第２の実施の形態についても同様に、ＮＦＣの代わりに、Ｂｌｕｅｔｏｏｔｈや他の無線通信方式を用いて、携帯端末３のユーザが複合機２にログインするようにしてもよい。
【００９７】
［３−６．他の実施の形態６］
さらに、上述した第１の実施の形態では、ログイン時に、携帯端末３が、操作情報Ｏｄを複合機２に反映するかどうかをユーザに選択させるようにしたが、これに限らず、操作情報Ｏｄを複合機２に反映するかどうかをユーザに選択させることなく、携帯端末３が複合機２に操作情報Ｏｄを送信して自動的に反映するようにしてもよい。第２の実施の形態についても同様に、ログイン時に、操作情報Ｏｄを自動的に複合機２に反映するようにしてもよい。
【００９８】
さらに、上述した第１の実施の形態では、ログアウト時に、携帯端末３が、操作情報Ｏｄを保存するかどうかをユーザに選択させるようにしたが、これに限らず、操作情報Ｏｄを携帯端末３に保存するかどうかをユーザに選択させることなく、携帯端末３が自動的に保存するようにしてもよい。第２の実施の形態についても同様に、ログアウト時に、携帯端末３が操作情報Ｏｄを自動的に保存するようにしてもよい。
【００９９】
さらに、上述した第１の実施の形態では、ログアウト時に、複合機２が、現在の操作情報Ｏｄの内容をもとにその操作情報Ｏｄを保存対象にするかどうか判断して、保存対象にすると判断した操作情報Ｏｄのみを携帯端末３に送信するようにしたが、これに限らず、複合機２が、現在の操作情報Ｏｄを自動的に保存対象として携帯端末３に送信するようにしてもよい。第２の実施の形態についても同様に、ログアウト時に、複合機２が、現在の操作情報Ｏｄを自動的に保存対象として携帯端末３に送信するようにしてもよい。
【０１００】
［３−７．他の実施の形態７］
さらに、上述した第１の実施の形態では、複合機２に対して行われた装置のうち、パラメータ変更操作のみを操作情報Ｏｄとして携帯端末３に保存するようにしたが、これに限らず、パラメータ変更操作以外の操作についても操作情報Ｏｄとして携帯端末３に保存するようにしてもよい。
【０１０１】
［３−８．他の実施の形態８］
さらに、上述した各実施の形態では、情報処理装置としての複合機２と、情報処理端末としての携帯端末３とで構成される情報処理システム１に本発明を適用した。これに限らず、１台以上の情報処理装置と１台以上の情報処理端末とで構成される情報処理システムであれば、情報処理システム１とは異なる構成の情報処理システムにも適用できる。例えば、情報処理装置としてのプリンタと、情報処理端末としてのスマートフォンとで構成される情報処理システムなどにも適用できる。
【０１０２】
さらに、上述した各実施の形態では、情報処理装置の具体例として複合機２を用いたが、これに限らず、プリンタ、コピー機、ファクシミリ、パーソナルコンピュータなど、様々な情報処理装置を用いてもよい。さらに、上述した各実施の形態では、情報処理端末の具体例として携帯端末３を用いたが、これに限らず、情報処理装置にログインする機能を持つものであれば、携帯端末３とは異なる情報処理端末を用いてもよい。
【０１０３】
［３−９．他の実施の形態９］
さらに、上述した各実施の形態では、情報処理端末の具体例である携帯端末３が備える端末側通信部の具体例として、Ｂｌｕｅｔｏｏｔｈモジュール３４及びＮＦＣモジュール３５を用いた。これに限らず、情報処理装置の具体例である複合機２と通信可能なものであれば、Ｂｌｕｅｔｏｏｔｈモジュール３４及びＮＦＣモジュール３５とは異なる端末側通信部を用いてもよい。さらに、上述した各実施の形態では、携帯端末３が備える端末側記憶部の具体例として、ストレージ３２を用いた。これに限らず、ストレージ３２とは異なる端末側記憶部を用いてもよい。さらに、上述した各実施の形態では、携帯端末３が備える端末側制御部の具体例として、Ｂｌｕｅｔｏｏｔｈ制御部４１、ＮＦＣ制御部４２、タッチパネル制御部４３、操作情報保存要否選択部４４ｃ、操作情報保存部４４ｓ、操作情報反映要否選択部４４ｒ、認証要求部４４ａとして機能するＣＰＵ３０を用いた。これに限らず、ＣＰＵ３０とは異なる端末側制御部を用いてもよい。
【０１０４】
さらに、上述した各実施の形態では、複合機２が備える装置側通信部の具体例として、、Ｂｌｕｅｔｏｏｔｈモジュール１５及びＮＦＣモジュール１６を用いた。これに限らず、携帯端末３と通信可能なものであれば、Ｂｌｕｅｔｏｏｔｈモジュール１５及びＮＦＣモジュール１６とは異なる端末側通信部を用いてもよい。さらに、上述した各実施の形態では、複合機２が備える装置側制御部の具体例として、複合機２と携帯端末３との距離を検出する距離検出部の具体例であるＢｌｕｅｔｏｏｔｈ制御部２１、ＮＦＣ制御部２２、操作パネル制御部２３、認証部２４、スキャナ制御部２５、印刷制御部２６、操作情報生成部２７ｆ、操作情報保存要否判断部２７ｄ、操作情報反映部２７ｒとして機能するＣＰＵ１０を用いた。これに限らず、ＣＰＵ１０とは異なる装置側制御部を用いてもよい。さらに、上述した各実施の形態では、複合機２が備える表示部の具体例として、タッチパネルＴｐを用いた。これに限らず、タッチパネルＴｐとは異なる表示部を用いてもよい。
【０１０５】
［３−１０．他の実施の形態１０］
さらに、本発明は、上述した各実施の形態に限定されるものではない。すなわち本発明は、上述した各実施の形態の一部または全部を任意に組み合わせた実施の形態や、一部を抽出した実施の形態にもその適用範囲が及ぶものである。
【産業上の利用可能性】
【０１０６】
本発明は、情報処理端末を利用して情報処理装置にログインする仕組みを有する情報処理システムで広く利用することができる。
【符号の説明】
【０１０７】
１……情報処理システム、２……複合機、３……携帯端末、１０、３０……ＣＰＵ、１３、３２……ストレージ、１５、３４……Ｂｌｕｅｔｏｏｔｈモジュール、１６、３５……ＮＦＣモジュール、１７……操作パネル、１８……スキャナ、１９……印刷装置、２１、４１……Ｂｌｕｅｔｏｏｔｈ制御部、２２、４２……ＮＦＣ制御部、２３……操作パネル制御部、２４……認証部、２５……スキャナ制御部、２６……印刷制御部、２７……表示制御部、２７ｆ……操作情報生成部、２７ｄ……操作情報保存要否判断部、２７ｒ……操作情報反映部、３６……タッチパネル、４３……タッチパネル制御部、４４……専用アプリ、４４ｃ……操作情報保存要否選択部、４４ｓ……操作情報保存部、４４ｒ……操作情報反映要否選択部、４４ａ……認証要求部、Ｏｄ……操作情報、Ｏｄ１……変更パラメータ情報、Ｏｄ２……画面情報。
【図１】
2020044828.tif 000003
【図２】
2020044828.tif 000004
【図３】
2020044828.tif 000005
【図４】
2020044828.tif 000006
【図５】
2020044828.tif 000007
【図６】
2020044828.tif 000008
【図７】
2020044828.tif 000009
【図８】
2020044828.tif 000010
【図９】
2020044828.tif 000011
【図１０】
2020044828.tif 000012
【図１１】
2020044828.tif 000013
【図１２】
2020044828.tif 000014
【図１３】
2020044828.tif 000015
【図１４】
2020044828.tif 000016
【図１５】
2020044828.tif 000017